【手続補正書】
【提出日】平成17年6月20日(2005.6.20)
【手続補正１】
【補正対象書類名】明細書
【補正対象項目名】特許請求の範囲
【補正方法】変更
【補正の内容】
【特許請求の範囲】
【請求項１】
手操作用の手鍵盤と足操作用の足鍵盤とを有する演奏操作用の演奏鍵盤と、
前記手鍵盤の操作に応じて、第１のコードルート及び第１のコードタイプを検出する第１のコード検出部と、
前記検出された第１のコードルート、第１のコードタイプ、前記足鍵盤の操作、及び前回検出されたコードに応じて、第２のコードルート、第２のコードタイプ及びベースルートの有無を検出する第２のコード検出部と
を有する電子楽器のコード検出装置。
【請求項２】
前記第２のコード検出部は、今回検出された第１のコードタイプがオーギュメントであるときには、前回検出されたコードに応じて異なるコードを決定することがある請求項１記載の電子楽器のコード検出装置。
【請求項３】
前記第２のコード検出部は、今回検出された第１のコードタイプがオーギュメントであるときには、前回検出されたコードに応じて異なる第２のコードルートを決定することがある請求項２記載の電子楽器のコード検出装置。
【請求項４】
前記第２のコード検出部は、今回検出された第１のコードタイプがオーギュメントであり、今回検出された第１のコードルートが前回検出された第２のコードルートと同じか、４半音又は８半音高いときには、今回の第２のコードルートを前回の第２のコードルートと同じにし、今回の第２のコードタイプをオーギュメントにする請求項３記載の電子楽器のコード検出装置。
【請求項５】
さらに、前記検出された第１のコードルート、第１のコードタイプ、及び前記足鍵盤の操作に応じて、第３のコードルート、第３のコードタイプ及びベースルートの有無を検出する第３のコード検出部と、
前記第２のコードタイプ及び前記第３のコードタイプの両方がオーギュメントであるときには前記第２のコードルート及び前記第２のコードタイプを採用し、それ以外のときには前記第３のコードルート及び前記第３のコードタイプを採用する決定部とを有する請求項４記載の電子楽器のコード検出装置。
【請求項６】
前記第２のコード検出部は、今回検出された第１のコードタイプがディミニッシュであるときには、前回検出されたコードに応じて異なるコードを決定することがある請求項１記載の電子楽器のコード検出装置。
【請求項７】
前記第２のコード検出部は、今回検出された第１のコードタイプがディミニッシュであるときには、前回検出されたコードに応じて異なる第２のコードルートを決定することがある請求項６記載の電子楽器のコード検出装置。
【請求項８】
前記第２のコード検出部は、今回検出された第１のコードタイプがディミニッシュであり、今回検出された第１のコードルートが前回検出された第２のコードルートより１半音、４半音、７半音又は１０半音高いときには、今回の第２のコードルートを前回の第２のコードルートに半音加算したコードルートにし、今回の第２のコードタイプをディミニッシュにする請求項７記載の電子楽器のコード検出装置。
【請求項９】
さらに、前記検出された第１のコードルート、第１のコードタイプ、及び前記足鍵盤の操作に応じて、第３のコードルート、第３のコードタイプ及びベースルートの有無を検出する第３のコード検出部と、
前記第２のコードタイプ及び前記第３のコードタイプの両方がディミニッシュであるときには前記第２のコードルート及び前記第２のコードタイプを採用し、それ以外のときには前記第３のコードルート及び前記第３のコードタイプを採用する決定部とを有する請求項８記載の電子楽器のコード検出装置。
【請求項１０】
前記第２のコード検出部は、前回検出された第２のコードルート及び第２のコードタイプと、今回検出された第１のコードルート及び第１のコードタイプとの関係がクリシェであるときには、前回検出された第２のコードルート及び第２のコードタイプに応じて、今回の第２のコードルート及び／又は第２のコードタイプを決定する請求項１記載の電子楽器のコード検出装置。
【請求項１１】
前記第２のコード検出部は、前回検出された第２のコードルート、第２のコードタイプ及びベースルートの有無と、今回検出された第１のコードルート、第１のコードタイプ及びベースルートの有無との関係がクリシェであるときには、前回検出された第２のコードルート、第２のコードタイプ及びベースルートの有無に応じて、今回の第２のコードルート、第２のコードタイプ及び／又はベースルートの有無を決定する請求項１記載の電子楽器のコード検出装置。
【請求項１２】
前記第２のコード検出部は、前回検出された第２のコードタイプがｍ♯５であり、今回検出された第１のコードタイプがディミニッシュであり、今回検出された第１のコードルートが前記検出された第２のコードルートより９半音高く、今回検出されたベースルートが前回検出された第２のコードルートと同じときには、前回検出された第２のコードルート及び第２のコートタイプに応じて、今回の第２のコードタイプを決定する請求項１記載の電子楽器のコード検出装置。
【請求項１３】
前記第２のコード検出部は、前回検出された第２のコードタイプがｍ♯５であり、今回検出された第１のコードタイプがディミニッシュであり、今回検出された第１のコードルートが前記検出された第２のコードルートより９半音高く、今回検出されたベースルートが前回検出された第２のコードルートと同じときには、今回の第２のコードルートを前回の第２のコードルートと同じにし、今回の第２のコードタイプをｍ６にし、ベースルートを無しにする請求項１記載の電子楽器のコード検出装置。
【請求項１４】
前記第２のコード検出部は、前回検出された第２のコードタイプがマイナーであり、今回検出された第１のコードタイプがメジャーであり、今回検出された第１のコードルートが前記検出された第２のコードルートより８半音高く、今回検出されたベースルートが前回検出された第２のコードルートと同じときには、前回検出された第２のコードルート及び第２のコートタイプに応じて、今回の第２のコードルート及び第２のコードタイプを決定する請求項１記載の電子楽器のコード検出装置。
【請求項１５】
前記第２のコード検出部は、前回検出された第２のコードタイプがマイナーであり、今回検出された第１のコードタイプがメジャーであり、今回検出された第１のコードルートが前記検出された第２のコードルートより８半音高く、今回検出されたベースルートが前回検出された第２のコードルートと同じときには、今回の第２のコードルートを前回の第２のコードルートと同じにし、今回の第２のコードタイプをｍ♯５にし、ベースルートを無しにする請求項１記載の電子楽器のコード検出装置。
【請求項１６】
前記第２のコード検出部は、前回検出された第２のコードタイプがマイナーであり、今回検出された第１のコードタイプがマイナーであり、今回検出された第１のコードルートが前記検出された第２のコードルートと同じであり、今回検出されたベースルートが前回検出されたベースルートと同じ又は半音高いときには、前回検出された第２のコードルート、第２のコートタイプ及びベースルートに応じて、今回の第２のコードルート、第２のコードタイプ及びベースルートの有無を決定する請求項１記載の電子楽器のコード検出装置。
【請求項１７】
前記第２のコード検出部は、前回検出された第２のコードタイプがマイナーであり、今回検出された第１のコードタイプがマイナーであり、今回検出された第１のコードルートが前記検出された第２のコードルートと同じであり、今回検出されたベースルートが前回検出されたベースルートと同じ又は半音高いときには、今回の第２のコードルートを前回の第２のコードルートと同じにし、今回の第２のコードタイプをマイナーにし、ベースルートを有りにする請求項１記載の電子楽器のコード検出装置。
【請求項１８】
手操作用の手鍵盤と足操作用の足鍵盤とを有する演奏操作用の演奏鍵盤を有する電子楽器のコード検出方法であって、
前記手鍵盤の操作に応じて、第１のコードルート及び第１のコードタイプを検出する第１のコード検出ステップと、
前記検出された第１のコードルート、第１のコードタイプ、前記足鍵盤の操作、及び前回検出されたコードに応じて、第２のコードルート、第２のコードタイプ及びベースルートの有無を検出する第２のコード検出ステップと
を有する電子楽器のコード検出方法。
【請求項１９】
手操作用の手鍵盤と足操作用の足鍵盤とを有する演奏操作用の演奏鍵盤を有する電子楽器のコード検出プログラムであって、
前記手鍵盤の操作に応じて、第１のコードルート及び第１のコードタイプを検出する第１のコード検出ステップと、
前記検出された第１のコードルート、第１のコードタイプ、前記足鍵盤の操作、及び前回検出されたコードに応じて、第２のコードルート、第２のコードタイプ及びベースルートの有無を検出する第２のコード検出ステップと
をコンピュータに実行させるためのプログラム。
【手続補正２】
【補正対象書類名】明細書
【補正対象項目名】００１２
【補正方法】変更
【補正の内容】
【００１２】
【課題を解決するための手段】
本発明の一観点によれば、手操作用の手鍵盤と足操作用の足鍵盤とを有する演奏操作用の演奏鍵盤と、前記手鍵盤の操作に応じて、第１のコードルート及び第１のコードタイプを検出する第１のコード検出部と、前記検出された第１のコードルート、第１のコードタイプ、前記足鍵盤の操作、及び前回検出されたコードに応じて、第２のコードルート、第２のコードタイプ及びベースルートの有無を検出する第２のコード検出部とを有する電子楽器のコード検出装置が提供される。
本発明の他の観点によれば、手操作用の手鍵盤と足操作用の足鍵盤とを有する演奏操作用の演奏鍵盤を有する電子楽器のコード検出方法であって、前記手鍵盤の操作に応じて、第１のコードルート及び第１のコードタイプを検出する第１のコード検出ステップと、前記検出された第１のコードルート、第１のコードタイプ、前記足鍵盤の操作、及び前回検出されたコードに応じて、第２のコードルート、第２のコードタイプ及びベースルートの有無を検出する第２のコード検出ステップとを有する電子楽器のコード検出方法が提供される。
本発明のさらに他の観点によれば、手操作用の手鍵盤と足操作用の足鍵盤とを有する演奏操作用の演奏鍵盤を有する電子楽器のコード検出プログラムであって、前記手鍵盤の操作に応じて、第１のコードルート及び第１のコードタイプを検出する第１のコード検出ステップと、前記検出された第１のコードルート、第１のコードタイプ、前記足鍵盤の操作、及び前回検出されたコードに応じて、第２のコードルート、第２のコードタイプ及びベースルートの有無を検出する第２のコード検出ステップとをコンピュータに実行させるためのプログラムが提供される。